(57)【特許請求の範囲】
【請求項１】
行と列のマトリクスに組織された複数の画素セル領域を含み、該画素セル領域の各１行は共通の行駆動信号を受信する共通行駆動線を有し、前記マトリクスは複数の前記行駆動信号を受信し、前記画素セル領域の各列は共通の列駆動信号を受信する共通列駆動線を有する、液晶表示装置であって、
所与の時間において、前記マトリクスにおける１つの行の前記行駆動信号がアクティブであり、アクティブである前記行駆動信号は複数のパルスを有し、該パルスは二乗余弦形状であって、高調波成分が最小限であるがゆえに当該表示装置における目に見えるクロストークひずみを最小限にし、
前記複数の行駆動信号を生成する回路であって、前記行駆動信号において前記マトリクスの低域通過フィルタリング効果に起因する振幅劣化を補償する利得を有する増幅器と、前記行駆動信号において前記マトリクスの低域通過フィルタリング効果に起因する移相を補償する移相を有する移相回路とを含む回路、を備える、
ことを特徴とする液晶表示装置。
【請求項２】
前記複数の画素セル領域の各画素セル領域に薄膜駆動トランジスタをさらに備えて成り、
所与の前記画素セル領域の前記行駆動信号が、対応する前記駆動トランジスタによって受信され、該対応する駆動トランジスタで受信された前記行駆動信号における前記パルスの二乗余弦形状により、隣接する前記行駆動線間の結合を最小限に抑えることを特徴とする、請求項１に記載の液晶表示装置。
【請求項３】
前記複数の画素セル領域の各画素セル領域にスーパーツイストネマティック接続部をさらに備えて成り、
所与の前記画素セル領域の前記行駆動信号が、対応する前記接続部で受信され、該対応する接続部で受信された前記行駆動信号における前記パルスの二乗余弦形状は最小限の高調波を示し、このため劣化および対応するクロストークひずみがより少ないことを特徴とする、請求項１に記載の液晶表示装置。
【請求項４】
画像信号を発生する回路と、
前記画像信号を受信し、該画像信号に応答して画像を表示する液晶表示装置とを備えてなり、
前記液晶表示装置は、
行と列のマトリクスに組織された複数の画素セル領域を含み、該画素セル領域の各１行は共通の行駆動信号を受信する共通行駆動線を有し、前記マトリクスは複数の前記行駆動信号を受信し、前記画素セル領域の各列は共通の列駆動信号を受信する共通列駆動線を有し、
所与の時間において、前記マトリクスにおける１つの行の前記行駆動信号がアクティブであり、アクティブである前記行駆動信号は複数のパルスを有し、該パルスは二乗余弦形状であって、高調波成分が最小限であるがゆえに当該表示装置における目に見えるクロストークひずみを最小限にし、
前記複数の行駆動信号を発生する回路であって、前記行駆動信号において前記マトリクスの低域通過フィルタリング効果に起因する振幅劣化を補償する利得を有する増幅器と、前記行駆動信号において前記マトリクスの低域通過フィルタリング効果に起因する移相を補償する移相を有する移相回路とを含む回路、を備える、
ことを特徴とする、電子装置。
【請求項５】
テレビジョン装置であり、前記画像信号はテレビジョン画像信号である、請求項４に記載の電子装置。
【請求項６】
コンピュータであり、入力装置をさらに備えて成る、請求項４に記載の電子装置。
【請求項７】
ゲームシステムであり、入力装置をさらに備えて成る、請求項４に記載の電子装置。
【請求項８】
前記液晶表示装置は、
前記複数の画素セル領域の各画素セル領域に薄膜駆動トランジスタをさらに備えて成り、
所与の前記画素セル領域の前記行駆動信号が、対応する前記駆動トランジスタにおいて受信され、該対応する駆動トランジスタにおいて受信された前記行駆動信号における前記パルスの二乗余弦形状により、隣接する前記行駆動線間の結合を最小限に抑えることを特徴とする、請求項４に記載の電子装置。
【請求項９】
前記液晶表示装置は、
前記複数の画素セル領域の各画素セル領域にスーパーツイストネマティック接続部をさらに備えて成り、
所与の前記画素セル領域の前記行駆動信号が、対応する前記接続部で受信され、該対応する接続部で受信された前記行駆動信号における前記パルスの二乗余弦形状は最小限の高調波を示し、このため劣化および対応するクロストークひずみがより少ないことを特徴とする、請求項４に記載の電子装置。
【発明の詳細な説明】
【０００１】
【発明の属する技術分野】
本発明は、一般に液晶表示パネルに関し、特に液晶表示パネルの画素セルを駆動するための信号波形に関する。
【０００２】
【従来の技術】
液晶表示（ＬＣＤ）は、通常バックプレート基板と、フェースプレート基板と、この２つの間に封入された液晶材料とを含む。これら基板の間に、偏光子、カラーフィルタ、およびスペーサも含まれる。液晶は、液体のように流れるが、分子配列は結晶秩序を有する油状の物質である。電界は糸状のすなわちネマティック液晶分子に印加され、この液晶分子は電界線に沿って配列することによって応答する。このような分子の配列によって、特定の配列に沿って光が偏光する。次に、偏光子が偏光に応じて光を通すか、またはブロックする。バックプレートは、典型的に、水平走査回路、垂直走査回路、および画素領域が上に形成されるガラス基板である。アクティブマトリクス型ＬＣＤに関して、ガラス基板は基本的に数千あるいは数百万の薄膜トランジスタ（ＴＦＴ）スイッチを有する大規模集積回路である。ＴＦＴスイッチは水平走査回路および垂直走査回路を形成する。ＴＦＴスイッチは、画素領域の個々のセルを画定する。各セルはカラー画素として機能する。
【０００３】
ＴＦＴスイッチは、解像度が増加するにつれてより密に詰め込まれる。これによって、隣接する回路の間が結合される可能性が増大する。特に、行パルスがソース線に結合する可能性があり、これは蓄積される電圧値に直接影響し、順に結果として得られるグレースケールトーンに影響する。結合の程度は、ドレイン線上の信号によって決まる。したがって、グレーシフトの程度は、データに依存する。この結果、目に見えるクロストークアーティファクトが生じる。
【０００４】
隣接するＴＦＴパネル回路は寄生コンデンサを介して結合するため、高周波数では結合が悪化する。行線の選択に用いられる方形パルスは、かなりの高調波成分を有する。大部分の問題を引き起こすのは、エッジの高調波からの高周波エネルギーである。１つの解決策は、駆動パルスのエッジをフィルタリングする素子を追加して、高調波成分を低減することである。しかしながら、この解決策は、高解像度ではスイッチの性能を低下させ、電力をさらに消費する。このため、ＴＦＴパネルにおいて隣接するパネル回路の結合を防ぐために、より効果的で電力消費のより少ない解決策が必要とされる。
【０００５】
別のＬＣＤ表示は、「スーパーツイストネマティック」（ＳＴＮ）または「ダブルスーパーツイストネマティック」スイッチで形成されるパッシブマトリクス設計によって形成される。アクティブマトリクス型ＬＣＤとパッシブマトリクス型ＬＣＤとの主な相違は、パッシブマトリクス型ＬＣＤでは、各画素に位置し、それに関連づけられたトランジスタがないことである。画素のマトリクスは、一方のプレートに水平の行に配列された電極と、他方のプレートに垂直の列に配列された電極によって形成され、各交点に画素を提供する。ＳＴＮパッシブマトリクス型ＬＣＤパネルの制限は応答時間が長いことである。この制限は、マルチメディアおよびグラフィックスアプリケーションが普及するにつれ、より顕著になってきている。中間色およびグレースケールトーンを提供するために、ＳＴＮパネルのフレーム速度は、応答時間よりも実質的に速くなければならない。ＳＴＮパネルセルをより速く応答するように設計すると、ＳＴＮパネルをリフレッシュするためのフレーム速度も速くなる。しかしながら、フレーム速度が増加するにつれて、従来の駆動信号の駆動パルスが徐々に劣化するという問題が生じる。この結果、目に見えるアーティファクトが生じる。
【０００６】
ＳＴＮパネルは、行波形の線形結合でパネル列を駆動する一方で、直交波形をパネル行に印加することによって、アドレスされる。最も単純で最も一般的な例では、行および列が方形パルスを受信する。列信号は完全に整列された方形パルスの組み合わせであることが理想的である。しかし、行パルスが劣化すると、列波形は行パルスの組み合わせと一致しない。
【０００７】
従来のアドレス方式によると、各行が画像フレーム期間中に一度選択される。アクティブアドレス方式では、各行がフレーム期間中に一度以上選択される。１つ以上の画素が同時にアドレスされるため、また画素は共通の列線を共有しているため、１つの画素の状態は別の画素の状態によって影響される。これは、「クロストーク」と呼ばれる。列信号は画像依存であり、各列電極はすべての行電極と容量的に結合されているために、任意の画素の状態は他のすべての画素の状態に影響を与える可能性がある。容量結合によるクロストークは、「結合クロストーク」と呼ばれる。目に見えるアーティファクト、たとえば画像「ゴースト」などは、このような結合クロストークによるものである。
【０００８】
また、パネルは低域通過フィルタリングとして現れるＲＣ結合効果を見せる。その結果、駆動パルスはシャープで正確な遷移ではなく指数状エッジ（exponential edge)を有する。指数状エッジの時間定数は様々なパネル素子と関連するが、一般的にパネルリフレッシュ速度が増加しても一定のままである。リフレッシュ速度が増加するにつれ、駆動パルスは狭くなる。指数状部分の時間定数は同じままである状態で、リフレッシュ速度が増加するにつれ、パルス形の指数状部分はますます増加する。結果として生じるパルスはますます理想からかけ離れて現れ、また結果として生じるクロストークはますます悪化する。
【０００９】
したがって、駆動信号パルスを劣化させずにフレーム速度を上げてＳＴＮパネルを駆動するための方法および装置が必要とされる。この問題に対処する初期の努力には、典型的に、行波形を監視して方形になるように強制するフィードバック回路が含まれた。この解決策は、行トレース線（row trace line)の非駆動端にセンスポイントが必要であるためコストがかかり、また不便である。このような解決策はまた、電力消費を増加させる。
別の解決策には、より複雑であるが、高速なフレーム速度を必要としない行パルスを用いることが含まれる。これらの技術の共通の特徴は、一度に２行以上を選択することである。これは、列線の駆動信号が２行以上の情報から構成されなければならないことを意味する。したがって、いくらかの記憶領域を必要とする。少なくとも１つの実施において、データのフレーム全体はパネルに記憶されなければならず、これによりコストおよび電力消費がかなり増加する。別の実施では、一度に２行が選択され、それによりパネル上の記憶要件が最小化されるが、表示品質改善はより少ない。
【００１０】
【発明が解決しようとする課題】
本発明の課題は、表示装置における表示品質を改善するための装置を提供することにある。
【００１１】
【課題を解決するための手段】
本発明によると、ＬＣＤパネルの駆動信号は二乗余弦パルス形をしている。ＳＴＮパネル駆動用の二乗余弦パルス形の利点は、高調波成分が最小限に抑えられることである。これにより、低域通過フィルタ、信号劣化効果を受けにくくなる。様々な行選択線上の二乗余弦パルスは、元である正弦波の適切な位相を選択することにより、列ドライバにおいて線形結合される。その結果得られる波形は、他のパルス形よりもかなり少ない高調波成分を有し、このため、劣化をより受けにくい。さらに、発生する劣化は増幅および位相を変化させることにより、容易に修正可能である。
【００１２】
ＴＦＴパネルに関して、行線に用いられる二乗余弦パルスは高調波成分を低減し、これにより隣接するパネル回路間の結合を低減する。
【００１３】
二乗余弦パルス駆動信号波形の利点は、電力を消耗する解決策によらずに、アクティブマトリクス型またはパッシブマトリクス型ＬＣＤパネルにおいてクロストークおよび信号劣化を防ぐことである。本発明のこれらおよび他の態様および利点は、以下の詳細な説明を添付の図面と共に参照することによって、よりよく理解されるであろう。
【００１４】
【発明の実施の形態】
パッシブマトリクス型ディスプレイ
図１は、画素領域１４のアレイ１２を含むスーパーツイストネマティックＬＣＤパネル１０を示している。画素領域１４はそれぞれ列電極１６および行電極１８が重なるスーパーツイストネマティック交点によって形成される。電極１６、１８のサブセットのみが示されている。行電極１８に沿ってアクティブ信号を、また列電極１６に沿って光学状態規定信号を受信することによって、所与の画素領域１４が励磁されて、画像画素を表示する。光学状態規定信号は、アドレスされた画素領域１４が「オン」状態か、または「オフ」状態に規定する。単色の表示パネルについて、「オン」状態の各画素は同色である。カラーパネルについては、異なる色の電極１６、１８がある。たとえば、所与の画素領域１４は、「オン」状態にあるときに、赤、緑、または青のうちの１つであつであることが可能である。
【００１５】
光学状態規定信号は、列駆動回路２０によって生成される。光学状態規定信号の状態は、タイミング制御装置２６で受信した画像信号から決定される。タイミング制御装置は画像信号を受信し、表示パネルの各画素領域１４の所望の状態を規定するために、対応する画像データの適切な列駆動回路に対する出力を制御する。行駆動回路２４のセットは、行電極１８の駆動信号を生成する。タイミング信号３０、３２が、タイミング制御装置２６から様々な画素領域１４をアクティベートするアドレス順を決定する列駆動回路２０、２２および行駆動回路２４に送られる。
【００１６】
図２を参照して、２つの波形３０および３２が示されている。波形３０は理想的な方形パルス波形である。波形３２は理想的な二乗余弦パルス波形である。図３は、理想的な方形駆動パルスの周波数スペクトル３４を示す。図４は低域通過フィルタリング効果を示す実際の方形駆動パルス周波数スペクトル３６を示す。低域通過フィルタリング効果は、上述の項に記載されたように、ＬＣＤパネル１０の複数の行および列を駆動するときに生じる。図５は、方形波形ではなく実際の列光学状態規定波形３７を示す。パルスがひずんで、図２の理想的な波形３０のようなシャープな遷移４０ではなく指数状遷移３８を示していることに留意する。表示パネル１０に画像を表示するためのフレーム速度が増加するにつれ、パルス幅は小さくなる。しかし、指数状部分３８の時間定数は、フレーム速度が増加してさえも一般的に一定のままである。その結果として、指数状部分３８の幅は同じままであり、直線部分４２は減少またはカットされる。このため、フレーム速度が増加するにつれ、表される劣化はますます悪化する。これに応じて、クロストークの目に見えるアーティファクトが悪化する。
【００１７】
図６は、理想的な二乗余弦駆動パルス周波数スペクトル４４を示す。図７は、低域通過フィルタリング効果を表す実際の二乗余弦駆動パルス周波数スペクトル４６を示す。図８は、一度にディスプレイの一行が駆動されるときの、かかる低域通過フィルタリング効果が存在している、列電極１６が受信する実際の二乗余弦駆動信号４８を示す。この効果が単にわずかな移相および振幅の低下であることに留意する。振幅ひずみは可変利得増幅器を用いて容易に修正可能であり、移相はフェーズロックループ回路での移相を用いて修正可能である。したがって、パッシブマトリクス型ディスプレイにおけるクロストーク効果および信号ひずみを、一度に１つの行をアドレスし、二乗余弦パルスで形成される駆動信号を用いることで回避することができる。二乗余弦パルスにより性能がよりよくなるのは、方形パルス周波数スペクトルおよび現在駆動信号として用いられているより複雑な信号の周波数スペクトルと比べ、二乗余弦パルスの周波数スペクトルに存在する高調波がより少ないためである。
【００１８】
アクティブマトリクス型ディスプレイ
図９は、画素領域５４のアレイ５２を含む薄膜トランジスタＬＣＤパネル５０を示している。各画素領域５４は、液晶材料の領域として形成されている。各画素領域５４は、薄膜トランジスタ（ＴＦＴ）５６に、トランジスタのドレインまたはソースのいずれか一方において、電気的に結合される。例示した実施形態において、画素領域はトランジスタのソースに結合される。アレイ５２はまた、行電極６２および列電極６４のパターンを含んでいる。各行電極６２は、アレイ５２の所与の行の各ＴＦＴ５６のドレインに結合される。各列電極は、アレイ５２の所与の列の各ＴＦＴ５６のゲートに結合される。ドレイン駆動回路６０は行電極６２に結合される。ゲート駆動回路は列電極６４に結合される。当業者には、行電極がＴＦＴのゲートに結合され、列電極６４がＴＦＴのドレインまたはソースのいずれか一方に結合されるように、ＴＦＴ５６が異って配線されてもよいことが理解されよう。
【００１９】
所与の画素領域５４を起動するため、それに対応するＴＦＴスイッチ５６がゲート駆動回路５８からの信号によってアドレスされる。上記信号は、上記ＴＦＴスイッチ５６に対する行電極６２に沿って出力される。そして、アドレスされた画素領域５４の光学状態は、ＴＦＴドレインで受信したドレイン駆動回路６０からの信号の論理状態によって規定される。上記論理状態規定信号は、上記ＴＦＴスイッチ５６に対する列電極６４に沿って出力される。単色の表示パネルについて、「オン」状態の各画素は同色である。カラーパネルについては、異なる色（たとえば、赤、緑、および青）の画素領域５４がある。
【００２０】
論理状態規定信号の状態は、タイミング制御装置７０で受信される画像信号から決定される。タイミング制御装置７０は、表示パネルアレイ５２の各画素領域５４に所望の状態を規定するため、適切なゲート駆動回路５８に対するかかる画像データの出力を制御する。タイミング信号７４、７６は、タイミング制御装置７０から、様々な画素領域５４を起動するアドレス順序を決定するゲート駆動回路５８およびドレイン駆動回路６０に送られる。
【００２１】
ＴＦＴスイッチ５６は、解像度の高い表示にはより密にパックされる。ＴＦＴスイッチ５６がより密にパックされるにつれ、隣接する回路間の意図しない結合が生じる可能性が高くなる。特に、行電極６２に沿うゲート駆動パルスは、列電極６４とＴＦＴスイッチ５６のドレインとの接点に結合する可能性があり、これはＴＦＴ状態、およびそれに相応して、対応する画素領域５４のグレースケールに直接影響する。例示する実施形態では、結合の程度は列電極６４上の信号に左右される。したがって、グレーシフトの程度はデータ依存である。隣接するＴＦＴパネル回路間の結合は寄生静電容量を介するため、結合は、高周波数において悪化する。行線選択に用いられる方形パルスはかなりの高調波成分を有する。大部分の問題を引き起こすのは、エッジの高調波からの高周波エネルギーである。
【００２２】
図２は、ＴＦＴスイッチを駆動するのに使用される二乗余弦波形３２を示す。図３は理想的な方形駆動パルスの周波数スペクトル３４を示す。図４は 上述した寄生結合効果を示す実際の方形駆動パルスの周波数スペクトル３６を示す。図５は、方形波ではない、実際の論理状態規定波形３７を示す。パルスがひずんで、図２の理想的な方形波形３０のようなシャープな遷移４０ではなく指数状遷移３８を示していることに留意する。別の実施形態では、二乗余弦パルスまたは方形パルスは、行駆動パルスとして機能する。
【００２３】
図６は、理想的な二乗余弦駆動パルスの周波数スペクトル４４を示す。図７は、寄生結合効果を示している、実際の二乗余弦駆動パルスの周波数スペクトル４６を示す。図８は、かかる寄生結合の存在する、列電極６４によって受信される実際の二乗余弦駆動信号４８を示す。この効果は、単にわずかに移相し、振幅を低減するだけであることに留意する。振幅のひずみは可変利得増幅器を使用して容易に修正可能であり、移相はフェーズロックループ回路における移相を使用して修正可能である。
【００２４】
図１０は、行選択パルス（すなわち、二乗余弦駆動信号）を図９のアクティブマトリクス型パネル５２（および図１のパッシブマトリクス型パネル１２）に生成する回路８０を示す。回路８０は、図９の駆動回路６０（および図１の回路２４）の一部である。回路８０は、二乗余弦波信号８７およびいくつかの行選択パルス信号９６を生成する。パネルの各行には、１つの行選択パルス信号９６がある。二乗余弦信号８７は、各行のスイッチ８９に進む。通常、行８９のスイッチは、上述した直流電圧（たとえば接地信号）を出力するように設定される。しかし、かかる行の行選択パルス９６がアクティブである場合、スイッチは代わりに二乗余弦波８７を通す。信号９６は同調されて、二乗余弦信号８７の１つのパルス９８を選択された行に通す。次に、各行が選択されて、二乗余弦パルスを受信する。
【００２５】
二乗余弦信号８７は、フェーズロックループ（ＰＬＬ）回路８２に供給される行クロック信号８３から導出される。ＰＬＬ出力は、可変利得増幅器８４、次いで移相回路８６に供給される。二乗余弦信号８７は、移相回路８６から出力される。行選択パルス９６もまた、行クロック信号８３から導出される。行クロック信号８３は、時間遅延回路９２に、次いでタイミング制御回路９０に供給される。タイミング制御回路は、各行それぞれに選択パルス９６を生成する。選択パルス９６が対応するスイッチ８９において適切に二乗余弦パルスを通すために、移相回路８６の移相は時間遅延回路９２の時間遅延と同期される。移相回路８６の特定の移相、時間遅延回路９２の時間遅延、および可変利得増幅器８４の利得は、パネルの特性に基づいて所与のパネルに規定される。より具体的には、かかる移相、遅延および利得は、パネルの不都合な低域通過フィルタリング効果を修正するよう選択される。所与のパネルに対して一旦セットされると、通常かかる値を変更する必要はない。
【００２６】
したがって、クロストーク効果および信号劣化は、アクティブマトリクス型ディスプレイにおいて、二乗余弦パルスから形成される駆動信号を使用することによって回避することができる。二乗余弦パルスの良好な性能は、方形パルスの周波数スペクトルおよび現在駆動信号として使用されているより複雑な信号の周波数スペクトルと比較して、二乗余弦パルスの周波数スペクトルに存在する高調波がより少ないためである。
【００２７】
好ましくは、図１のスーパーツイストネマティックＬＣＤパネル１０、または図９の薄膜トランジスタＬＣＤパネル５０は、電子機器の一部である。図１１を参照して、電子機器９８は表示パネル１０／５０を含んでいる。様々な実施の形態において、電子機器は、デスクトップ、ポータブル、またはハンドヘルド型コンピュータ、テレビジョンセット、ビジュアルゲーム装置（たとえば、ビデオゲーム装置、アーケードゲーム装置）、または画像を見るための他の電子機器である。電子機器９８は、表示制御回路１０２、パネル１０／５０に表示する画像を生成する、そうでなければレンダリングする追加の処理および／または通信回路１０４と共に、ボタン、キーボード、ポインティングデバイス等の入力装置１００を含む。
【００２８】
本発明の好ましい実施の形態を図示するとともに説明してきたが、様々な代替、変更および同等物を用いてもよい。したがって、上記説明は添付の特許請求の範囲によって定義される本発明の範囲を制限するものとして考慮されるべきではない。
【００２９】
以上、本発明の実施例について詳述したが、以下、本発明の各実施態様の例を示す。
【００３０】
[実施態様１]
行と列のマトリクスに組織された複数の画素セル領域（１４／５４）を含み、画素セル領域の各１行は共通の行駆動信号を受信する共通行駆動線（１８／６２）を有し、前記マトリクスは複数の行駆動信号を受信し、画素セル領域の各列は共通の列駆動信号を受信する共通列駆動線（１６／６４）を有する、液晶表示装置（１０／５０）であって、
所与の時間において、マトリクスにおける１つの行の行駆動信号がアクティブであり、アクティブである行駆動信号は複数のパルスを有し、該パルスは二乗余弦形状であって、高調波成分が最小限であるがゆえに表示装置における目に見えるクロストークひずみを最小限にすることを特徴とする液晶表示装置（１０／５０）。
【００３１】
[実施態様２]
前記複数の画素セル領域の各画素セル領域に薄膜駆動トランジスタ（５６）をさらに備えて成り、所与の画素セル領域の行駆動信号が、対応する駆動トランジスタによって受信され、前記対応する駆動トランジスタで受信された前記行駆動信号における前記パルスの二乗余弦形状により、隣接する行駆動線間の結合を最小限に抑えることを特徴とする、実施態様１に記載の液晶表示装置（５０）。
【００３２】
[実施態様３]
前記複数の画素セル領域の各画素セル領域にスーパーツイストネマティック接続部をさらに備えて成り、所与の画素セル領域の前記行駆動信号が、対応する接続部で受信され、前記対応する接続部で受信された前記行駆動信号における前記パルスの二乗余弦形状は最小限の高調波を示し、このため劣化および対応するクロストークひずみがより少ないことを特徴とする、前記実施態様１に記載の液晶表示装置（１０）。
【００３３】
[実施態様４]
前記複数の行駆動信号（９８）を生成し、前記行駆動信号において前記マトリクスの低域通過フィルタリング効果に寄与する可能性のある増幅劣化を補償する利得を有する増幅器（８４）と、前記行駆動信号において前記マトリクスの低域通過フィルタリング効果に寄与する可能性のある移相を補償する移相を有する移相回路（８６）とを含む回路（８０）をさらに備える、実施態様１記載の液晶表示装置。
【００３４】
[実施態様５]
画像信号を発生する回路（１０２）と、
前記画像信号を受信し、それに応答して画像を表示する液晶表示（１０／５０）とを備えてなり、
前記液晶表示は、
行と列のマトリクスに組織された複数の画素セル領域（１４／５４）を含み、画素セル領域の各１行は共通の行駆動信号を受信する共通行駆動線（１８／６２）を有し、前記マトリクスは複数の行駆動信号を受信し、画素セル領域の各列は共通の列駆動信号を受信する共通列駆動線（１６／６４）を有し、所与の時間において、マトリクスにおける１つの行の行駆動信号がアクティブであり、アクティブである行駆動信号は複数のパルスを有し、該パルスは二乗余弦形状であって、高調波成分が最小限であるがゆえに表示装置における目に見えるクロストークひずみを最小限にすることを特徴とする、電子装置（９８）。
【００３５】
[実施態様６]
テレビジョン装置であり、前記画像信号はテレビジョン画像信号である、実施態様５に記載の装置（９８）。
【００３６】
[実施態様７]
コンピュータであり、入力装置（１００）をさらに備えて成る、実施態様５に記載の装置（９８）。
【００３７】
[実施態様８]
ゲームシステムであり、入力装置（１００）をさらに備えて成る、実施態様５に記載の装置（９８）。
【００３８】
[実施態様９]
前記複数の画素セル領域の各画素セル領域に薄膜駆動トランジスタ（５６）をさらに備えて成り、所与の画素セル領域の前記行駆動信号が、対応する駆動トランジスタにおいて受信され、前記対応する駆動トランジスタにおいて受信された前記行駆動信号における前記パルスの二乗余弦形状により、隣接する行駆動線間の結合を最小限に抑えることを特徴とする、実施態様５に記載の表示装置（５０）。
【００３９】
[実施態様１０]
前記複数の画素セル領域の各画素セル領域にスーパーツイストネマティック接続部をさらに備えて成り、所与の画素セル領域の前記行駆動信号が、対応する接続部で受信され、前記対応する接続部で受信された前記行駆動信号における前記パルスの二乗余弦形状は最小限の高調波を示し、このため劣化および対応するクロストークひずみがより少ないことを特徴とする、実施態様５に記載の表示装置（１０）。
【００４０】
[実施態様１１]
前記複数の行駆動信号（９８）を発生し、前記行駆動信号において前記マトリクスの低域通過フィルタリング効果に寄与する可能性のある増幅劣化を補償する利得を有する増幅器（８４）と、前記行駆動信号において前記マトリクスの低域通過フィルタリング効果に寄与する可能性のある移相を補償する移相を有する移相回路（８６）とを含む回路（８０）をさらに備えて成る、実施態様５に記載の表示装置（１０）。
【００４１】
【発明の効果】
以上説明したように、本発明を用いることにより、表示装置における表示品質を改善することができる。
【図面の簡単な説明】
【図１】パッシブマトリクス型ＬＣＤディスプレイのブロック図である。
【図２】理想的な二乗余弦パルス波形および理想的な方形パルス波形の図である。
【図３】図２の方形パルス波形の周波数スペクトルを示す図である。
【図４】低域通過フィルタリング効果を示す方形パルス波形の周波数スペクトルを示す図である。
【図５】低域通過フィルタリング効果により指数遷移を有する方形パルス波形を示す図である。
【図６】図２の二乗余弦パルス波形の周波数スペクトルを示す図である。
【図７】低域通過フィルタリング効果を示す二乗余弦パルス波形の周波数スペクトルを示す図である。
【図８】低域通過フィルタリング効果により移相および振幅低下を有する二乗余弦パルス波形を示す図である。
【図９】アクティブマトリクス型ＬＣＤディスプレイのブロック図である。
【図１０】本発明の一実施形態による、二乗余弦パルスを生成する回路のブロック図である。
【図１１】図１または図９の表示パネルを含む電子機器のブロック図である。
【符号の説明】
１０、５０：液晶表示装置
１４、５４：画素セル領域
１６、６４：共通列駆動線
１８、６２：共通行駆動線
５６：薄膜駆動トランジスタ
８０：回路
８４：増幅器
８６：移相回路
９８：行駆動信号、電子機器
１００：入力装置
１０２：画像信号を生成する回路
【図１】
0004508313.tif 000002
【図２】
0004508313.tif 000003
【図３】
0004508313.tif 000004
【図４】
0004508313.tif 000005
【図５】
0004508313.tif 000006
【図６】
0004508313.tif 000007
【図７】
0004508313.tif 000008
【図８】
0004508313.tif 000009
【図１０】
0004508313.tif 000010
【図１１】
0004508313.tif 000011
【図９】
0004508313.tif 000012